(57)【要約】【課題】音質調整用の通気孔から漏れ出た音により、ドライバユニットから出力される音の音質が劣化するのを抑制する。【解決手段】イヤピース１００と、イヤピースを使用者の頭部に固定するように構成される連結部材６と、を有してなる。イヤピースは、ハウジングと、ハウジングに取り付けられるドライバユニット７と、ハウジングの外部音声を収音するマイクロホン８と、を備える。連結部材は、イヤピースを支持するアーム部材６１を備える。ハウジングは、マイクロホンを収納する収納部と、収納部とハウジングの外部とを連通させる収音孔４４と、を備える。収納部は、使用者に装着された時のハウジングの上部に配置される。収音孔は、使用者に装着された時のハウジングの上方に向いて開口し、アーム部材の下方に配置される。【選択図】図２
2019198113.tif 000002
【特許請求の範囲】
【請求項１】
イヤピースと、
前記イヤピースを使用者の頭部に固定するように構成される連結部材と、
を有してなり、
前記イヤピースは、
ハウジングと、
前記ハウジングに取り付けられるドライバユニットと、
前記ハウジングの外部音声を収音するマイクロホンと、
を備え、
前記連結部材は、
前記イヤピースを支持するアーム部材、
を備え、
前記ハウジングは、
前記マイクロホンを収納する収納部と、
前記収納部と、前記ハウジングの外部と、を連通させる収音孔と、
を備え、
前記収納部は、前記使用者に装着された時の前記ハウジングの上部に配置され、
前記収音孔は、前記使用者に装着された時の前記ハウジングの上方に向いて開口し、前記アーム部材の下方に配置される、
ことを特徴とするノイズキャンセルヘッドホン。
【請求項２】
前記収音孔の形成方向は、前記マイクロホンの振動板の振動方向と同じ方向である、
請求項１記載のノイズキャンセルヘッドホン。
【請求項３】
一対のイヤピース、
を備え、
前記連結部材は、一対の前記イヤピースを連結する、
請求項１または２記載のノイズキャンセルヘッドホン。
【請求項４】
前記連結部材は、前記収音孔に対して風が直接当たることを防止する、
請求項１記載のノイズキャンセルヘッドホン。
【請求項５】
前記収納部は、前記ドライバユニットよりも上方に形成される、
請求項１乃至４のいずれか記載のノイズキャンセルヘッドホン。
【請求項６】
前記収音孔は、前記ハウジングの外部に開放される、
請求項１乃至５のいずれか記載のノイズキャンセルヘッドホン。
【請求項７】
前記ハウジングは、
前記ドライバユニットが取り付けられるバッフル板と、
前記バッフル板の背面側に配置される第１ハウジングと、
前記第１ハウジングの背面側に配置される第２ハウジングと、
前記第１ハウジングと前記第２ハウジングとの間に配置されるハウジングカバーと、
を備え、
前記収納部は、前記第１ハウジングと前記ハウジングカバーとで形成され、
前記収音孔は、前記ハウジングカバーに形成される、
請求項１乃至６のいずれか記載のノイズキャンセルヘッドホン。
【請求項８】
前記マイクロホンは、前記ハウジングカバーの背面側に形成された挿入口から前記収納部に収納され、
前記挿入口は、前記第２ハウジングにより閉鎖される、
請求項７記載のノイズキャンセルヘッドホン。
【請求項９】
前記ハウジングには、前記第１ハウジングにより画定される空気室と、前記ハウジングの外部と、を連通させる通気孔が形成され、
前記通気孔は、前記バッフル板に形成される、
請求項７または８記載のノイズキャンセルヘッドホン。
【請求項１０】
前記マイクロホンが収音した外部音声からキャンセル信号を生成する回路基板、
を備え、
前記回路基板は、前記第１ハウジングと前記第２ハウジングとの間に配置される、
請求項７乃至９のいずれか記載のノイズキャンセルヘッドホン。
【請求項１１】
前記第１ハウジングと、前記第２ハウジングと、は音響的に分離される、
請求項７乃至１０のいずれか記載のノイズキャンセルヘッドホン。
【請求項１２】
前記収納部は、前記第１ハウジングの背面側に形成される、
請求項７乃至１１のいずれか記載のノイズキャンセルヘッドホン。
【請求項１３】
前記収納部は、前記第１ハウジングの背面側の空気室に形成される、
請求項１２記載のノイズキャンセルヘッドホン。
【請求項１４】
前記空気室は、前記第２ハウジングにより画定される、
請求項１３記載のノイズキャンセルヘッドホン。
【請求項１５】
前記収音孔は、前記使用者に装着された時の前記アーム部材の下面に対向する、
請求項１記載のノイズキャンセルヘッドホン。
【請求項１６】
前記収音孔は、前記使用者に装着された時の前記アーム部材の真下に配置される、
請求項１記載のノイズキャンセルヘッドホン。
【発明の詳細な説明】
【技術分野】
【０００１】
本発明は、ノイズキャンセルヘッドホン、特に、フィードフォワード方式のノイズキャンセルヘッドホンに関する。
【背景技術】
【０００２】
ノイズキャンセル機能を備えたヘッドホン（ノイズキャンセルヘッドホン）は、マイクロホンとノイズキャンセル回路（以下「ＮＣ回路」という。）を備える。マイクロホンは、ヘッドホンの周囲の外部音声（以下「騒音」という。）を収音する。ＮＣ回路は、マイクロホンが収音した騒音に応じたキャンセル信号を生成する。ヘッドホンは、ＮＣ回路が生成したキャンセル信号に応じた音波を、ヘッドホンに接続された音楽プレーヤなどの音源からの再生信号に応じた音波と重ねてドライバユニットから出力する。すなわち、ヘッドホンは、騒音をキャンセル（消音）しながら、音源からの再生信号による楽音（以下「再生音」という。）を出力する。
【０００３】
キャンセル信号を生成する方式には、フィードバック方式（以下「ＦＢ方式」という。）と、フィードフォワード方式（以下「ＦＦ方式」という。）と、がある。
【０００４】
ＦＢ方式のヘッドホンに内蔵されるマイクロホンは、ヘッドホンのハウジング（イヤピース）の内部であって、ヘッドホンの使用者の耳元に近い位置に配置される。ＮＣ回路は、マイクロホンが収音した騒音の信号をリアルタイムで解析して、使用者の鼓膜の位置での騒音が最小になるようなキャンセル信号を生成する。ＦＢ方式のヘッドホンは、使用者の耳元に近い位置で騒音を収音する。そのため、ＦＢ方式のヘッドホンは、後述するＦＦ方式のヘッドホンと比べて、騒音のキャンセル効果が高い。また、ＦＢ方式のヘッドホンは、騒音成分の変化に対する追従性も良い。
【０００５】
ただし、ＦＢ方式のヘッドホンでは、内蔵されるマイクロホンが騒音と共に再生音を収音してキャンセル信号を生成してしまうと、出力される再生音の音質が劣化してしまう。また、ＦＢ方式のヘッドホンは、騒音のキャンセル効果を高めるために、使用者の頭部に装着された状態においてイヤピース内を密閉しなければならない。しかし、密閉されたイヤピース内では、ヘッドホンが出力する再生音がこもりがちになり、音質が劣化してしまう。そこで、ＦＢ方式のヘッドホンは、一般的に、再生音の音質を補正するためのフィルタを備える。
【０００６】
一方、ＦＦ方式のヘッドホンに内蔵されるマイクロホンは、ヘッドホンのハウジングの外部に配置される。ＮＣ回路は、マイクロホンが収音した騒音の信号を解析して、ヘッドホンの使用者の鼓膜に到達するまでの騒音の変化を予測する。ＮＣ回路は、この予測の結果に基づいてキャンセル信号を生成する。ＦＦ方式のヘッドホンは、スペースに制約のある使用者の耳元の近くへのマイクロホンの配置を不要とする。また、ＦＦ方式のヘッドホンに内蔵されるマイクロホンは、ドライバユニットから離れた位置に配置される。そのため、ＦＦ方式のヘッドホンは、ＦＢ方式のヘッドホンに比べて、ドライバユニットから出力される再生音を収音してキャンセル信号を生成しにくい。すなわち、ＦＦ方式のヘッドホンは、ＦＢ方式のヘッドホンに比べて、再生音の音質が再生音から生成されるキャンセル信号による影響を受にくい。
【０００７】
ただし、ＦＦ方式のヘッドホンは、内蔵されるマイクロホンの配置場所により騒音のキャンセル効果に指向性が出やすい。また、ＦＦ方式のヘッドホンは、ＦＢ方式のヘッドホンと違い、内蔵されるマイクロホンがヘッドホンのハウジングの外部に配置される。そのため、ＦＦ方式のヘッドホンは、吹かれなどを要因とする風の風圧に起因する雑音を発生させるなど、ヘッドホンの周囲の風の影響も受けやすい。その結果、ノイズキャンセル機能が動作中の場合、ＦＦ方式のヘッドホンは、使用者にしばしば違和感や不快感を与える。
【０００８】
これまでにも、ＦＦ方式のヘッドホンにおいて、前述の風の影響を抑制するために、ヘッドホンのハウジングの内部にマイクロホンを配置したものは提案されている（例えば、特許文献１参照）。
【０００９】
特許文献１に開示されているＦＦ方式のヘッドホンは、ドライバユニットが取り付けられたバッフル板の背面側（すなわち、後部空気室内）に、マイクロホンを備える。バッフル板は、その厚さ方向の両端部にフランジを有している。両フランジの間には、バッフル板の外周に沿った溝が形成されている。バッフル板の背面側のフランジには、フランジの厚さ方向に貫かれた収音孔が形成されている。収音孔は、溝と連通している。外部からの騒音は、溝および収音孔を介してマイクロホンに収音される。
【先行技術文献】
【特許文献】
【００１０】
【特許文献１】特開２０１０−１０９７９９号公報
【発明の概要】
【発明が解決しようとする課題】
【００１１】
特許文献１に開示されているＦＦ方式のヘッドホンでは、ヘッドホンに到達した騒音が、溝の内部で向きを変えてマイクロホンで収音される。そのため、前述した騒音の変化の予測には、より高度な演算が要求され、十分なキャンセル効果を発揮できない場合があり得る。また、特許文献１に開示されているＦＦ方式のヘッドホンでは、後部空気室内にマイクロホンが配置されているため、マイクロホンは、ドライバユニットから再生される音を収音し得る。マイクロホンが再生音を収音すると、ＮＣ回路は、再生音に応じたキャンセル信号を生成する。その結果、ドライバユニットから出力される再生音の音質は、再生音の影響を受けて劣化し得る。
【００１２】
このように、ノイズキャンセルヘッドホン、特に、ＦＦ方式のヘッドホンにおいては、風の影響を抑制しつつ、ドライバユニットから出力される再生音の音質の劣化を抑制しなければならない。
【００１３】
本発明は、以上のような従来技術の問題点を解消するためになされたもので、風の影響を抑制しつつ、ドライバユニットから出力される再生音の音質の劣化を抑制させることができるノイズキャンセルヘッドホンを提供することを目的とする。
【課題を解決するための手段】
【００１４】
本発明は、イヤピースと、イヤピースを使用者の頭部に固定するように構成される連結部材と、を有してなり、イヤピースは、ハウジングと、ハウジングに取り付けられるドライバユニットと、ハウジングの外部音声を収音するマイクロホンと、を備え、連結部材は、イヤピースを支持するアーム部材、を備え、ハウジングは、マイクロホンを収納する収納部と、収納部とハウジングの外部とを連通させる収音孔と、を備え、収納部は、使用者に装着された時のハウジングの上部に配置され、収音孔は、使用者に装着された時のハウジングの上方に向いて開口し、アーム部材の下方に配置される、ことを特徴とする。
【発明の効果】
【００１５】
本発明によれば、風の影響を抑制しつつ、ドライバユニットから出力される再生音の音質の劣化を抑制させることができる。
【図面の簡単な説明】
【００１６】
【図１】本発明にかかるノイズキャンセルヘッドホンの左側のイヤピースの正面図である。
【図２】図１のイヤピースの正面視断面図である。
【図３】図１のイヤピースを構成するバッフル板の斜視図である。
【図４】図１のイヤピースを構成する第１ハウジングの斜視図である。
【図５】図１のイヤピースを構成するハウジングカバーの斜視図である。
【図６】イヤパッドが取り外された図１のイヤピースの正面図である。
【図７】図１のイヤピースを構成するハウジングの斜視図である。
【図８】本発明にかかるノイズキャンセルヘッドホンの別の実施の形態におけるイヤピースの正面視断面図である。
【図９】本発明にかかるノイズキャンセルヘッドホンの周波数特性を示すグラフである。
【図１０】本発明にかかるノイズキャンセルヘッドホンのノイズキャンセル効果の比較結果を示すグラフである。
【図１１】本発明にかかるノイズキャンセルヘッドホンのノイズキャンセル効果の比較結果を示す別のグラフである。
【図１２】本発明にかかるノイズキャンセルヘッドホンのノイズキャンセル効果の比較結果を示すさらに別のグラフである。
【発明を実施するための形態】
【００１７】
以下、図面を参照しながら、本発明にかかるノイズキャンセルヘッドホン（以下「ヘッドホン」という。）の実施の形態について説明する。ヘッドホンは、左右一対のイヤピースを備える。左右一対のイヤピースは、連結部材で連結される。
【００１８】
図１は、本発明にかかるヘッドホンの左側のイヤピースの正面図である。イヤピース１００は、イヤパッド１と、バッフル板２と、第１ハウジング３と、ハウジングカバー４と、第２ハウジング５と、を有してなる。以下、バッフル板２と第１ハウジング３とハウジングカバー４と第２ハウジング５の全部または一部を、ヘッドホンのハウジングという。
【００１９】
イヤパッド１は、イヤピース１００とヘッドホンの使用者の頭部との間の緩衝材である。
【００２０】
バッフル板２は、ドライバユニットの前面側と背面側とを音響的に分離するとともに、ドライバユニットを保持する部材である。バッフル板２の前面側とは、バッフル板２に保持されたドライバユニットから音波が出力される面の側（紙面左側）である。バッフル板２の背面側とは、バッフル板２に保持されたドライバユニットから音波が出力される面の反対側（紙面右側）である。ドライバユニットは、音源からの音声信号を音波に変換して出力する。
【００２１】
第１ハウジング３は、バッフル板２の背面側に配置されて、ドライバユニットの背面側の空気室を形成する部材である。
【００２２】
ハウジングカバー４は第１ハウジング３の背面側に配置されて、ヘッドホンの周囲の外部音声（以下「騒音」という。）を収音するマイクロホンの収納部を形成する。騒音は、音源からの音声信号による楽音（以下「再生音」という。）以外の音である。マイクロホンの収納部については、後述する。
【００２３】
第２ハウジング５はハウジングカバー４の背面側、すなわち、第１ハウジング３の背面側に配置されて、ノイズキャンセル回路（以下「ＮＣ回路」という。）が配置された回路基板を収納する。
【００２４】
イヤピース１００は、連結部材６を介して、右側のイヤピースに連結される。連結部材６は、アーム部材６１と、スライダ６２と、固定部材６３と、ヘッドバンド６４と、を有する。
【００２５】
アーム部材６１は、イヤピース１００とスライダ６２とを連結する。アーム部材６１は、二股に分かれたアームを備える。二股の各アームの先端には、第２ハウジング５の正面（紙面手前側の面）と背面（紙面奥側の面）とに形成された軸受孔に対応する連結ピンが同軸的に設けられている。二股の各アームの先端の連結ピンが第２ハウジング５の軸受孔に挿入されると、イヤピース１００は、連結ピン同士を結ぶ軸を回転中心として所定の角度の範囲内でアーム部材６１に回動可能に支持される。
【００２６】
スライダ６２は、ヘッドバンド６４に対するイヤピース１００の位置を調整する調整機構である。スライダ６２の一端は、アーム部材６１に固定される。スライダ６２の他端は、固定部材６３の長手方向の端に形成された開口部分からヘッドバンド６４の内部空間に進入して、ヘッドバンド６４の長手方向に進退可能に保持される。すなわち、イヤピース１００は、スライダ６２により、ヘッドバンド６４の長手方向にスライド移動が可能である。
【００２７】
固定部材６３は、スライダ６２とヘッドバンド６４を固定する。固定部材６３は、スライダ６２がヘッドバンド６４から抜け落ちるのを防止する抜け落ち防止構造を備える。ヘッドバンド６４の内部空間を進退可能に移動するスライダ６２は、固定部材６３の抜け落ち防止構造により、移動可能範囲の限界位置まで移動しても、ヘッドバンド６４から抜け落ちない。
【００２８】
ヘッドバンド６４は、アーム部材６１とスライダ６２と固定部材６３とを介して、左右一対のイヤピースを連結する。ヘッドバンド６４は、使用者の頭頂部や後頭部などに沿う形状に湾曲している。
【００２９】
ヘッドバンド６４の内部には、板バネ状の弾性部材が配置されている。すなわち、ヘッドバンド６４は、バネ性を有する。ヘッドバンド６４の両端のイヤピース同士の距離は、ヘッドホンが使用者の頭部に装着されている時（装着時）と、ヘッドホンが使用者の頭部に装着されていない時（未装着時）とで異なる。すなわち、装着時のイヤピース同士の距離は、未装着時のイヤピース同士の距離より長い。装着時の各イヤピースには、バネ性を有するヘッドバンド６４の復元力が働く。すなわち、装着時の各イヤピースは、互いに近づく方向に付勢される。各イヤピースは、ヘッドバンド６４の復元力により、使用者の左右の耳に押し当てられて固定される。
【００３０】
図２は、イヤピース１００の正面視断面図である。イヤパッド１は、環状に形成されていて、ヘッドホンが使用者の頭部に装着されているとき、使用者の耳の周りを取り囲む。イヤパッド１は、被覆材の内部に弾性材が詰め込まれて弾力性を有する。被覆材の材質は、例えば、レザーや化繊などの肌触りの良い材質である。弾性材の材質は、例えば、発泡ウレタン、綿、化学繊維などの弾力性のある材質である。
【００３１】
図３は、バッフル板２の斜視図である。バッフル板２は平面視において円形であり、その円板状の底面部２０とフランジ部２２とが側面部２１で連結されたような形状である。側面部２１には、音質調整用の通気孔２３が形成される。底面部２０の平面視（バッフル板２の表裏方向、紙面下側から上側に見た方向）中央には、開口２４が形成される。
【００３２】
開口２４には、図２に示されるように、ドライバユニット７が取り付けられる。バッフル板２の周縁は、図２に示されるように、底面部２０と側面部２１とフランジ部２２とで囲まれた、断面がＵ字状の溝部が形成される。イヤパッド１の被覆材の一部がバッフル板２の周縁に形成された溝部に覆い被されて、イヤパッド１がバッフル板２に係止される。
【００３３】
図４は、第１ハウジング３の斜視図である。第１ハウジング３は、平面視において円形であり、図２に示されるように、正面視断面においてハット状である。第１ハウジング３は、底面部３０と側面部３１と受部３２とフランジ部３３とを備える。底面部３０と側面部３１の一部には、マイクロホン収納穴３４が形成される。マイクロホン収納穴３４については、後述する。
【００３４】
第１ハウジング３は、図２に示されるように、バッフル板２とドライバユニット７と共に、ドライバユニット７の背面側の空気室Ｓ１を形成する。空気室Ｓ１は、バッフル板２に形成された通気孔２３を介して、バッフル板２や第１ハウジング３の外部、つまり、イヤピース１００を構成するハウジングの外部と連通する。空気室Ｓ１の空気圧は、通気孔２３の大きさなどにより調整される。つまり、ドライバユニットから出力される音の音質は、通気孔２３の大きさなどにより調整される。
【００３５】
図５は、ハウジングカバー４の斜視図である。ハウジングカバー４は、平面視において円形であり、図２に示されるように、正面視断面においてハット状である。ハウジングカバー４は、底面部４０と側面部４１とフランジ部４２とを備える。底面部４０には、マイクロホン挿入孔４３が形成される。側面部４１には、収音孔４４が形成される。
【００３６】
収音孔４４は、図２に示されるように、イヤピース１００を構成するハウジングの上部の周面、つまり、ヘッドホンが使用者の頭部に装着されている時の使用者の頭頂部側の周面に形成（配置）される。この収音孔４４は、ハウジングの上方、つまり、ヘッドホンが使用者の頭部に装着されている時の使用者の頭頂部側の方向に向いて開口する。そのため、ヘッドホンは、ハウジングが受けた風が収音孔４４に直接入ることを抑制することができる。その結果、ヘッドホンは、ハウジングが受けた風の風圧による雑音の発生を抑制することができる。また、収音孔４４を通過する（横切る）方向に風が通過した場合、風の進行方向と、振動板の振動方向と、は一致しない。そのため、風の風圧に起因する雑音は小さくなる。
【００３７】
なお、収音孔４４の形成方向に進行する風の場合、その風は、収音孔４４に直接入ることも考えられる。しかし、収音孔４４は、連結部材６の下方に距離をおいて配置される。その結果、収音孔４４の形成方向に進行する風は、連結部材６に当たるため、収音孔４４に直接入ることはない。つまり、連結部材６は、収音孔４４に対して風が直接当たることを防止する。
【００３８】
ハウジングカバー４と第１ハウジング３とは、ハウジングカバー４のフランジ部４２が第１ハウジング３の受部３２に当接することで、位置決めされる。第１ハウジング３の背面側に配置されたハウジングカバー４のマイクロホン挿入孔４３は、図２に示されるように、第１ハウジング３のマイクロホン収納穴３４と連通する。
【００３９】
ハウジングカバー４に形成された収音孔４４は、第１ハウジング３のマイクロホン収納穴３４と連通する。マイクロホン収納穴３４には、マイクロホン８が配置される。マイクロホン８は、例えば、無指向性のマイクロホンである。
【００４０】
マイクロホン８は、例えば、その収音面が収音孔４４に対向する向き、つまり、ヘッドホンが使用者の頭部に装着された時、収音面が上方を向くようにマイクロホン収納穴３４内に配置される。このようなマイクロホン８と収音孔４４との配置は、ヘッドホンのハウジングが受けた風からの風圧に起因する雑音の発生を低減する。また、収音孔４４の形成方向（図２の紙面上下方向）と、マイクロホン８の振動板の振動方向とは同じである。よって、ヘッドホンに到達した騒音は、収音孔４４を介して、向きを変えることなく直接的にマイクロホン８に収音される。その結果、本発明にかかるヘッドホンは、ヘッドホンに到達した騒音が向きを変えてマイクロホンに収音される従来のヘッドホンと比較して、より確実に騒音の変化を予測でき、騒音に対する高いキャンセル効果を備える。
【００４１】
収音孔４４は、ヘッドホンが使用者の頭部に装着された時、連結部材６の下方に位置する。連結部材６は、ヘッドホンが使用者の頭部に装着された時、収音孔４４を塞がない。すなわち、収音孔４４は、ハウジングの外部に開放される。つまり、ヘッドホンが使用者の頭部に装着された時、マイクロホン８は常にハウジングの外部（の空気層）に接して、騒音を収音可能である。その結果、ヘッドホンは、常に騒音のキャンセル効果を発揮する。
【００４２】
第２ハウジング５は、平面視において円形であり、図２に示されるように、正面視断面においてカップ状である。第２ハウジング５は、底面部５０と側面部５１とを備える。第２ハウジング５は、ハウジングカバー４の背面側に配置される。第２ハウジング５は、ハウジングカバー４と共に、ハウジングカバー４の背面側に空気室Ｓ２を形成する。空気室Ｓ２には、マイクロホン８が収音した騒音に応じたキャンセル信号を生成するＮＣ回路が配置される。
【００４３】
ヘッドホンのハウジングを構成する第１ハウジング３と第２ハウジング５とは、図２に示されるように、音響的に分離される。すなわち、第１ハウジング３で画定される音響部としての空気室Ｓ１と、第２ハウジング５で画定される回路部としての空気室Ｓ２とは、音響的に分離される。よって、空気室Ｓ２内に配置されたマイクロホン８は、ドライバユニット７から出力されて空気室Ｓ１内に放出された音を収音してキャンセル信号を生成することはない。つまり、ドライバユニット７が出力する音の音質は、空気室Ｓ１に放出されたドライバユニット７が出力する音で劣化しない。
【００４４】
図６は、イヤパッド１が取り外されたイヤピース１００の正面図である。バッフル板２の側面部２１に形成された通気孔２３は、イヤピース１００の正面側（紙面手前側）に位置する。
【００４５】
図７は、イヤパッド１と第２ハウジング５とが取り外された状態のイヤピース１００、つまり、一体化されたバッフル板２と第１ハウジング３とハウジングカバー４との斜視図である。ハウジングカバー４に囲まれた第１ハウジング３のマイクロホン収納穴３４は、ハウジングカバー４と共にマイクロホン８の収納部を構成する。マイクロホン８の収納部は、ハウジングの上部、つまり、ヘッドホンが使用者の頭部に装着された時の使用者の頭頂部側に形成される。マイクロホン８の収納部は、マイクロホン８の収納前において、ハウジングカバー４のマイクロホン挿入孔４３と収音孔４４のそれぞれと連通する。マイクロホン８は、挿入口としてのマイクロホン挿入孔４３からマイクロホン収納穴３４内に収納される。マイクロホン８の収納部の大きさや形状は、例えば、マイクロホン８と同程度の大きさや形状である。マイクロホン８が収納された状態のマイクロホン８の収納部の隙間は、例えば、マイクロホン８を固定する接着剤で埋められる。マイクロホン挿入孔４３は、マイクロホン８の収納後において、マイクロホン８の出力ケーブルが引き出された状態で、封鎖される。つまり、マイクロホン８の収納部と空気室Ｓ２とは、分離される。その結果、マイクロホン８の収納部は、収音孔４４のみを介して、ハウジングの外部と連通する。換言すれば、マイクロホン８は、収音孔４４を通過してマイクロホン８の収納部に進入した音波のみを収音する。
【００４６】
ハウジングカバー４に形成された収音孔４４は、前述のとおり、イヤピース１００を構成するハウジングの上部の周面に形成される。バッフル板２に形成された通気孔２３は、イヤピース１００を構成するハウジングの前方、つまり、ヘッドホンが使用者の頭部に装着された時の使用者の顔面側に形成される。
【００４７】
収音孔４４と通気孔２３は、図７に示されるように、ハウジングの少なくとも９０°周方向に離間して形成される。このような収音孔４４と通気孔２３とが離間して形成される構成は、通気孔２３から漏れ出た楽音（以下「放音音声」という。）が収音孔４４を通過してマイクロホン８に収音されることを抑制する。
【００４８】
なお、収音孔と通気孔とのハウジング上の形成位置は、放音音声が収音孔を通過してマイクロホン８に収音されるのが抑制される位置であればよい。すなわち、例えば、通気孔は、ヘッドホンが使用者の頭部に装着された時に、使用者の後頭部側、つまり、ハウジングの後方に配置されてもよい。
【００４９】
また、収音孔と通気孔とのハウジング上の形成位置の別の例として、収音孔と通気孔とがハウジングの周方向に対向する位置に形成されてもよい。すなわち、例えば、図８に示されるように、ヘッドホンが使用者の頭部に装着された時、収音孔４４は使用者の頭頂部側で、通気孔２３ａは使用者の足元側に形成されてもよい。
【００５０】
図９は、本発明にかかるヘッドホンの周波数特性を示すグラフである。図中、実線は、ノイズキャンセル機能がオン、つまり、マイクロホン８が収音した騒音に応じたキャンセル信号をＮＣ回路が生成可能な状態のときのヘッドホンの周波数特性である。一方、点線は、ノイズキャンセル機能がオフ、つまり、マイクロホン８が収音した騒音に応じたキャンセル信号をＮＣ回路が生成不可能な状態のときのヘッドホンの周波数特性である。同図に示されるように、本発明にかかるヘッドホンの周波数特性の違いは、ノイズキャンセル機能がオンのときとオフのときとで小さい。すなわち、同図は、本発明にかかるヘッドホンにおいて、マイクロホン８による通気孔２３から漏れ出た音の収音が抑制されていることを示す。
【００５１】
マイクロホン８の収納部であるマイクロホン収納穴３４は、ヘッドホンが使用者の頭部に装着された時に、ヘッドホンのハウジングの上部、例えば、図２に示されるように、ドライバユニット７よりも上方に形成される。マイクロホン８の収納部がハウジングの上部に形成される、つまり、収音孔４４がハウジングの上部に形成されることで、マイクロホン８はハウジングの前後左右いずれの方向からの騒音も遅滞なく収音（平均的に収音）することができる。その結果、本発明にかかるヘッドホンは、従来のヘッドホンに比べて、騒音のキャンセル効果の指向性に伴い発生する使用者への違和感や不快感を軽減することができる。
【００５２】
図１０、図１１、図１２は、ヘッドホンに対する騒音の発生方向の違いによる、ヘッドホンの騒音のキャンセル効果の比較結果を示すグラフである。図１０は、収音孔がヘッドホンの上方（図１の紙面上側）に配置された場合である。図１１は、収音孔がヘッドホンの正面（図１の紙面手前側）に配置された場合である。図１２は、収音孔がヘッドホンの側面（図１の紙面左側）に配置された場合である。各図は、ヘッドホンに対する騒音の発生方向が９０度、１８０度、２７０度、３６０度のときの騒音のキャンセル効果を示す。
【００５３】
図１１は、３００Ｈｚ−２ｋＨｚ付近で方向ごとのばらつきが大きく、騒音の発生方向によりキャンセル効果に差があることを示している。このように、マイクロホンが正面に配置されたヘッドホンは、キャンセル効果の高い方向と低い方向とが存在して、使用者に違和感を与えてしまうことがある。
【００５４】
図１２は、図１１に比べて方向ごとのばらつきは小さいが、１ｋＨｚ付近でのキャンセル効果には大きな差があり、また、９０度のときのキャンセル効果が大きいことを示している。このように、マイクロホンが側面に配置されたヘッドホンでは一方向（９０度方向）のキャンセル効果が他の方向に比べて高い。そのため、マイクロホンが側面に配置されたヘッドホンは使用者にしばしば違和感を与える。
【００５５】
一方、図１０は、図１１や図１２に比べて、方向ごとのキャンセル効果の差が小さい。したがって、例えば、使用者がヘッドホンを装着したまま移動していて、使用者の移動方向が変わりヘッドホンに対する騒音の発生方向が変化したとしても、キャンセル効果の方向による違いは小さい。このように、マイクロホンが上方に配置されたヘッドホンは、騒音の発生方向の違いによって使用者に与える違和感の発生を軽減する。
【００５６】
以上説明した実施の形態によれば、収音孔４４は、ハウジングの上方、すなわち、ヘッドホンが使用者の頭部に装着されている時の使用者の頭頂部側の方向に向いて開口し、収音孔４４の形成方向とマイクロホン８の振動板の振動方向とは同じである。よって、ハウジングに到達した騒音は、向きを変えずにマイクロホン８に収音される。したがって、本発明にかかるヘッドホンは、ヘッドホンに到達した騒音が向きを変えてマイクロホンに収音される従来のヘッドホンと比較して、より確実に騒音の変化を予測することができ、風の影響を抑制しつつ、騒音のキャンセル効果を高めることができる。
【００５７】
また、以上説明した実施の形態によれば、第１ハウジング３で画定される音響部としての空気室Ｓ１と、第２ハウジング５で画定される回路部としての空気室Ｓ２とは、音響的に分離される。よって、空気室Ｓ２内に配置されたマイクロホン８は、ドライバユニット７から出力されて空気室Ｓ１内に放出された音を収音してキャンセル信号を生成しない。したがって、本発明にかかるヘッドホンは、風の影響を抑制し、ドライバユニット７から出力される再生音の音質の劣化も抑制することができる。
【符号の説明】
【００５８】
１    イヤパッド
２    バッフル板
２０  底面部
２１  側面部
２２  フランジ部
２３  通気孔
２４  開口
３    第１ハウジング
３０  底面部
３１  側面部
３２  受部
３３  フランジ部
３４  マイクロホン収納穴
４    ハウジングカバー
４０  底面部
４１  側面部
４２  フランジ部
４３  マイクロホン挿入孔
４４  収音孔
５    第２ハウジング
５０  底面部
５１  側面部
６    連結部材
６１  アーム部材
６２  スライダ
６３  固定部材
６４  ヘッドバンド
７    ドライバユニット
８    マイクロホン
１００  イヤピース
【図１】
2019198113.tif 000003
【図２】
2019198113.tif 000004
【図３】
2019198113.tif 000005
【図４】
2019198113.tif 000006
【図５】
2019198113.tif 000007
【図６】
2019198113.tif 000008
【図７】
2019198113.tif 000009
【図８】
2019198113.tif 000010
【図９】
2019198113.tif 000011
【図１０】
2019198113.tif 000012
【図１１】
2019198113.tif 000013
【図１２】
2019198113.tif 000014